(57)【特許請求の範囲】
【請求項１】
刃に設けられた柄穴に柄の先端部が嵌入され、柄穴内にクサビが圧入されている斧において、クサビは鉄で細長く形成され、薪を割るときに柄に当たる木材から柄を保護するためにクサビは柄の下側に存在し且つ前記刃の刃先の後端を越えて後方に延びており、この刃先の後端を越えて後方に延びている部分に、少なくとも１つの釘穴が設けられていることを特徴とする斧。
【請求項２】
クサビの、前記刃先の後端を越えて後方に延びている部分に２つの釘穴が存在し、それらの釘穴に釘又はネジが通されてクサビが固定されている請求項１記載の斧。
【請求項３】
クサビの、前記刃先の後端を越えて後方に延びている部分の長さは、柄の長さ方向における刃先の前端から後端までの水平距離の５０％から１２０％の範囲の長さである請求項１又は請求項２記載の斧。
【発明の詳細な説明】
【技術分野】
【０００１】
本発明は、薪などを割るための斧に関する。
【背景技術】
【０００２】
斧は柄の先端部を刃の柄穴に嵌入することにより柄に刃を結合した構成であり、その結合の度合いを強固にするためにクサビを打ち込んでいる（例えば、特許文献１参照。）。
【特許文献１】実公昭３５−２９０９４号公報
【発明の開示】
【発明が解決しようとする課題】
【０００３】
本発明は、薪を割るときなどに斧の柄が薪の材料である木材に当たっても柄が損傷を受けることがなく長期間使用できる斧を部品数の少ない簡単な構成で提供することを課題とする。
【０００４】
特許文献１に記載されているように、従来の斧のクサビは刃の刃先の後端を越えてそれよりも後方に延びていない。そのほかの多くの斧のクサビは引用文献１よりも短く形成されており、刃の柄穴からわずかに突出する程度の長さである。したがって、仮に特許文献１とは異なってクサビが柄の下側に打ち込まれても、刃先の後端よりも後方に延びる柄の下面は柄の材料である木が露出している。このために、薪割りをするときに薪の材料である木材の幅が刃先よりも長いときは、刃先からはみ出た木材が柄の下面に当たって柄を傷めるのである。また、割ろうとする木材の幅と刃先の長さが同じ程度であっても、刃先を木材よりも前寄りに当ててしまうと木材が柄の下面に当たるのである。このような状態で長期間使用すると、木材が当たる柄の部分は損傷によりえぐれてしまうのである。その結果、そのえぐれた部分の強度が弱くなり使用中に柄が折れる虞があるのである。
【０００５】
また、引用文献１のクサビは柄の上側に取り付けられている。その理由は、仮にクサビを柄の下側に取り付けると、クサビを固定するためにネジを回そうとしても刃が邪魔になってドライバーが使用できないからである。したがって、引用文献１ではクサビを柄の上側に取り付けざるを得ないのである。そのために、クサビをネジや釘で補強して固定しようとするときはクサビを柄の上側に取り付けることになるから、柄の下面は柄の材料である木が露出し前述したように使用中に柄が損傷するのである。
【０００６】
このように、柄の下面が柄の材料で露出しているときに、割ろうとする木材が柄に当たって柄を損傷することを防止するためには、ネジや釘を用いて別体の厚めの鉄板を柄の下面に取り付ければよい。この場合、ネジや釘を取り付ける位置は刃先の後端よりも後方の位置と刃先の後端よりも前方の位置の２箇所になる。このようにして別体の鉄板を取り付けたときは、ある程度使用していると鉄板の締め付けが緩んでくるので、締め直しをしなければならない。そうすると、刃先の後端よりも前方に取り付けたネジを締めたり釘を打ち付けたりするときに刃が邪魔になってドライバーやハンマーを使用することができない。したがって、そのようなときは柄から刃を取り外してから行わなければならず面倒である。本発明は、柄から刃を取り外さなくても鉄板の締め直しができる斧を提供することも課題とするものである。
【課題を解決するための手段】
【０００７】
本発明の請求項１は、刃に設けられた柄穴に柄の先端部が嵌入され、柄穴内にクサビが圧入されている斧において、クサビは鉄で細長く形成され、薪を割るときに柄に当たる木材から柄を保護するためにクサビは柄の下側に存在し且つ前記刃の刃先の後端を越えて後方に延びており、この刃先の後端を越えて後方に延びている部分に、少なくとも１つの釘穴が設けられている構成である。
【０００８】
請求項２は、クサビの、前記刃先の後端を越えて後方に延びている部分に２つの釘穴が存在し、それらの釘穴に釘又はネジが通されてクサビが固定されている要素が請求項１に付加された構成である。
【０００９】
請求項３は、クサビの、刃先の後端を越えて後方に延びている部分の長さが、柄の長さ方向における刃先の前端から後端までの水平距離の５０％から１２０％の範囲の長さである要素が請求項１又は請求項２のいずれか一項に付加された構成である。
【発明の効果】
【００１０】
請求項１は、クサビが鉄で細長く形成され、薪を割るときに柄に当たる木材から柄を保護するためにクサビは柄の下側に存在し且つ前記刃の刃先の後端を越えて後方に延びており、この刃先の後端を越えて後方に延びている部分に、少なくとも１つの釘穴が設けられている。したがって、薪を割るときに薪の材料である木材の一部が刃先の後端よりも後方にはみ出ても、長く延びたクサビにより柄が保護されて損傷することがない。
【００１１】
請求項２は、クサビの、前記刃先の後端を越えて後方に延びている部分に２つの釘穴が存在し、それらの釘穴に釘又はネジが通されてクサビが固定されている。したがって、釘穴を通してネジをねじ込んだり釘を打ち付けることにより、クサビを確実に固定することができる。
【００１２】
請求項３は、クサビの、刃先の後端を越えて後方に延びている部分の長さは、柄の長さ方向における刃の前端から後端までの水平距離の５０％から１２０％の範囲の長さである。クサビがこの範囲の長さで刃先の後端から延びていることにより、木材が当たることによる柄の損傷をほぼ防止することができる。また、クサビが刃先の後端から必要以上に長く延びていると、クサビがすぐにぐら付く虞があるが、本発明はこのような虞がない。
【発明を実施するための最良の形態】
【００１３】
次に本発明の実施の形態について説明する。斧１は、柄２と刃３とクサビ４とから成る。柄２は樫などの硬い木材で作られている。柄２の前部分５は断面が矩形に形成され、それよりも後方部分は断面が楕円又は円形に形成されている。しかし、本発明の柄はこれらの形状に限定されるものでない。
【００１４】
刃３は、その上部に柄穴６が設けられており、その柄穴６に柄２の先端部が嵌入されている。また、刃３の下端に刃先７が形成されている。刃先７の前端８から後端９までの水平距離ｔは柄３を含めた斧１の全長に対応して設定されている。本実施形態では斧１の全長が約９０ｃｍで刃先７の水平距離ｔは約８ｃｍであるがこの数値に限定されるものでなく、例えば、全長が４５ｃｍのときに水平距離ｔを７ｃｍとしたり、全長が３７ｃｍのときに水平距離ｔを５．５ｃｍとしたりしてもよい。
【００１５】
クサビ４は鉄で細長く形成され、前端１０が鍵形に曲がっている。クサビ４は刃３の柄穴６に圧入されており、刃先７の後端９を越えて後方に延びている。クサビ４の全長は約１７．５ｃｍであり、刃先７の後端９を越えて後方に延びているクサビ４の部分の長さは約６ｃｍである。この長さは、刃先７の前端８から後端９までの水平距離の７５％に相当する。本発明はこれらの数値に限定されるものではない。この、刃先７の後端９を越えて後方に延びているクサビ４の部分が柄２の下面を保護して、薪を割るときに材料である木材がその部分に当たっても柄２を損傷させることがない。
【００１６】
刃先７の後端９を越えて後方に延びているクサビ４の部分に２つの釘穴１１，１１が設けられている。これらの釘穴１１，１１を通して釘１２，１２が打ち付けられている。釘１２に代えてネジでもよいことは勿論である。
【図面の簡単な説明】
【００１７】
【図１】本発明の一部正面図
【図２】クサビの正面図
【図３】クサビの平面図
【符号の説明】
【００１８】
１  斧
２  柄
３  刃
４  クサビ
５  柄の前部分
６  柄穴
７  刃先
８  刃先の前端
９  刃先の後端
１０  クサビの前端
１１  釘穴
１２  釘
【図１】
0004885909.tif 000002
【図２】
0004885909.tif 000003
【図３】
0004885909.tif 000004